(57)【特許請求の範囲】
【請求項１】
浴槽，洗い場の底面上に大きいパターン部を間隔を３０mm以内に設定して複数形成し、各パターン部内を、さらに小ブロックに分割して、隣り合う各小ブロック内の小突起の配列方向を異なるものとして、各小ブロック内に上方へ突出する小突起を複数設け、各小突起の端部を他の小突起と当接することがなく水の流通可能に開放させるとともに、各小ブロック間にも水が流れる流路を形成したことを特徴とする浴槽，洗い場の滑り止め構造。
【発明の詳細な説明】
【０００１】
【産業上の利用分野】
この発明は、浴槽，洗い場の滑り止め構造に関するものである。
【０００２】
【従来の技術及びその課題】
従来、図９に示す浴槽５１及び洗い場５２の滑り止めのために、例えば図１０の断面図で示すように、底面に凹部５３と凸部５４を形成した構造が存在するが、このような凹部５３，凸部５４を底面に形成しただけでは良好な滑り止め効果が得られないものであった。そのため、図１１の断面図で示すように、さらに前記凸部５４の表面に粗面５４ａを形成させて滑り止め効果を向上させたものが存在するが、このように粗面５４ａを形成させると、この粗面５４ａに排水が溜まり、また汚れが溜まって付きやすく、さらに汚れが落ちにくくなり汚れやすいという問題点があり、また、このように粗面５４ａを形成させるためには浴槽５１等を造形するための型にこのような粗面５４ａを備える必要があり、型のメンテナンスが行ないにくいという問題点がある。さらに図１２に示すように、従来、浴槽５１，洗い場５２の底面に別体の滑り防止材５５を接着により貼着して滑り止め効果を高めたものも存在するが、このような滑り防止材５５を貼着したものにおいても、滑り防止材５５の部分に汚れが付きやすく、また汚れが落ちにくくなり、また滑り防止材５５は耐久性に乏しく剥がれやすい等の問題点があった。
【０００３】
【課題を解決するための手段】
本発明は上記従来の問題点に鑑み案出したものであって、滑り止め効果が大で、しかも汚れにくい滑り止め構造を提供せんことを目的とし、その要旨は、浴槽，洗い場の底面上に大きいパターン部を間隔を３０mm以内に設定して複数形成し、各パターン部内を、さらに小ブロックに分割して、隣り合う各小ブロック内の小突起の配列方向を異なるものとして、各小ブロック内に上方へ突出する小突起を複数設け、各小突起の端部を他の小突起と当接することがなく水の流通可能に開放させるとともに、各小ブロック間にも水が流れる流路を形成したことである。
【０００４】
【実施例】
以下、本発明の実施例を図面に基づいて説明する。
図１は、浴槽の平面概略構成図であり、浴槽１の底面１ａには複数のパターン部２，２，２が間隔をおいて形成されており、この各パターン部２，２，２の拡大図を図２に示すと、各パターン部２内は、さらに小ブロック２ａ，２ｂに分割されたものとなっており、小ブロック２ａには、図において縦方向に３本の小突起３，３，３が並列状に配列されており、また、小ブロック２ｂにおいては、横方向に３本の小突起３，３，３が配列されて構成されたものとなっており、各小突起３は上方へ突出して、各小突起３の両端部は開放状態となって他の小突起３と当接することがなく、小突起３，３間には水の流れる流路（隙間）が良好に形成されたものとなっており、各小ブロック２ａ，２ｂ間にも水の流れる良好な流路（隙間）が確保されたものとなっている。
【０００５】
また、各パターン部２，２の間隔は図中ａで示す３０mm以内に設定されたものとなっている。即ち、３０mm以内であれば、子供の足でも何れかのパターン部２上に乗ることができ、複数の小突起３，３，３が足の裏に当接して良好な滑り止め効果を発揮することができる。
なお、図２では、小ブロック２ａと小ブロック２ｂでは、それぞれ小突起３，３の配列方向が異なるものとなっているため、縦方向及び横方向の滑りに良好に対応できるものとなっている。
【０００６】
このようにパターン部２内に分割された小ブロック２ａ，２ｂが形成され、各ブロック２ａ，２ｂ間では隙間が形成されて良好に水が流れることができ、しかも小突起３，３の端部も開放されて水が良好に流れることができるものであるため、パターン部２内で水が閉鎖されて溜まることがなく、従って良好に排水が行なわれて、汚れがパターン部２に付きにくくなり、また掃除の時にも良好に水を流して汚れを取り去ることができ、汚れにくい構造となり、しかもパターン部２，２間は３０mm以内であるため、子供の足でも何れかのパターン部２に当接して滑りを防ぐことができ、良好に滑りを防ぐことができるものとなる。
【０００７】
なお、図３の縦断面拡大図で示すように、各パターン部２を浴槽１の底面１ａから上方へ隆起させて、その隆起上面に前記複数の小突起３を上方に突出状に一体形成させたものでも良く、また、図４に示すように、各パターン部２は底面１ａとほぼ面一状に形成させて、底面１ａから小突起３，３，３を上方へ一体状に突出形成させたものであっても良い。
【０００８】
次に、図５は変更例を示すものであり、図５においては、各パターン部２は小判状に形成されており、この各パターン部２内に、傾斜状に小突起３，３，３が間隔をおいて並列状に配列されたものであり、各パターン部２，２間の間隔は前述したものと同様に３０mm以内に設定されており、また各小突起３の両端側は開放されて良好に水が流通できるように構成されている。従って、この図５のものにおいても小突起３，３，３により良好に滑り止め効果が達成され、しかも良好に排水が行なわれるため汚れにくいものとなる。
【０００９】
次に、図６はさらに異なる変更例を示すものであり、図６においては、隣り合うパターン部２，２をそれぞれ対向状に傾斜させて、略くの字状に間隔をおいて千鳥配列させたものであり、各パターン部２内には、小突起３，３，３が縦方向となっている小ブロック２ａと、小突起３，３，３が横方向で配列される小ブロック２ｂを形成したものであり、小ブロック２ａの小突起３と小ブロック２ｂの小突起３では配列方向が異なるため、あらゆる方向の滑りにも良好に対応することができるものとなり、しかも各小突起３，３間には水の流通可能な隙間が形成されているため、排水が良好であり汚れが付きにくいものとなる。
【００１０】
さらに図７は、さらに異なる変更例を示すものであり、図７では、各パターン部２内に、直線状の小突起３，３，３が配列された２つの小ブロック２ａ，２ａと、その中間に、くの字状の小突起３，３，３を配列した小ブロック２ｂを設けたものであり、小ブロック２ａの各小突起３，３はそれぞれ傾斜状に所定間隔で配列されており、小ブロック２ｂのくの字状の小突起３との間には水の流れる流路が形成されている。また、各パターン部２，２間は前述したのと同様に３０mm以内の間隔に設定されている。このような図７の構造においても、滑り止め効果を高めることができ、しかも排水が良好で、汚れが付きにくく、また掃除の時に汚れを良好に落とすことができるものとなる。
【００１１】
さらに図８は異なる変更例を示すものであり、図８では、４枚の小突起３，３，３を水車の羽根状に配列して１個の小ブロックを形成させ、小ブロックを４個まとめて１個のパターン部２を形成させたものであり、本例においても各小突起３，３間には水の流れる流路が確保されており、良好な滑り止め効果を達成することができるとともに、水の排水が良好で汚れが付きにくいものとなる。
【００１２】
【発明の効果】
本発明は、浴槽，洗い場の底面上に大きいパターン部を間隔を３０mm以内に設定して複数形成し、各パターン部内を、さらに小ブロックに分割して、隣り合う各小ブロック内の小突起の配列方向を異なるものとして、各小ブロック内に上方へ突出する小突起を複数設け、各小突起の端部を他の小突起と当接することがなく水の流通可能に開放させるとともに、各小ブロック間にも水が流れる流路を形成したことにより、子供でも十分に各パターン間に足が乗り、小突起が足の裏に当接して、縦方向及び横方向の滑りに良好に対応でき、良好な滑り止め効果を発揮することができるとともに、各小突起間で水が閉ざされることがなく、水は良好に排水されるように構成されているため汚れが付きにくく、また汚れを掃除時等に良好に落とすことができ、意匠性に優れ、かつ滑り止め効果が大で、汚れが付きにくい浴槽，洗い場の滑り止め構造とし得る効果を有する。
【図面の簡単な説明】
【図１】  浴槽の底面の概略構成図である。
【図２】  底面のパターン部内の小突起の配列構造を示す平面構成図である。
【図３】  図２のパターン部の縦断面拡大構成図である。
【図４】  各パターン部が隆起していない場合の図３に対応させた断面構成図である。
【図５】  パターン部及び小突起の変更例を示す平面構成図である。
【図６】  さらに異なる変更例を示す平面構成図である。
【図７】  さらに異なる変更例を示す平面構成図である。
【図８】  さらに異なる変更例を示す平面構成図である。
【図９】  従来の浴槽及び洗い場の斜視構成図である。
【図１０】  従来の浴槽の底面の凹凸形状を示す断面構成図である。
【図１１】  従来の粗面を形成した凹凸形状の断面構成図である。
【図１２】  従来の滑り防止部材を貼着した浴槽底面の断面構成図である。
【符号の説明】
１  浴槽
１ａ  底面
２  パターン部
２ａ，２ｂ  小ブロック
３  小突起
【図１】
0003640035.tif 000002
【図２】
0003640035.tif 000003
【図３】
0003640035.tif 000004
【図４】
0003640035.tif 000005
【図５】
0003640035.tif 000006
【図６】
0003640035.tif 000007
【図７】
0003640035.tif 000008
【図８】
0003640035.tif 000009
【図９】
0003640035.tif 000010
【図１０】
0003640035.tif 000011
【図１１】
0003640035.tif 000012
【図１２】
0003640035.tif 000013